(57)【要約】【課題】より簡単な構造で複数のエアフィルター及びカバーの装着／離脱を検出できる電気機器及びプロジェクターを提供する。【解決手段】複数のエアフィルター１１、１１及びカバー１０ａ、１０ｂの装着／離脱を検出する一つの回転スイッチ１３と、複数のカバー１０ａ、１０ｂの一部に夫々の腕部１０１ａ、１０１ｂとを設ける。複数のカバー１０ａ、１０ｂを装着する際、各腕部１０１ａ、１０１ｂが重なるように構成し、前記回転スイッチ１３が重なる腕部１０１ａ、１０１ｂの高さを検出する。制御部７は、回転スイッチ１３の検出結果に応じて冷却ファンを運転／停止させる。【選択図】図２
2007294603.tif 000002
【特許請求の範囲】
【請求項１】
外気を筐体内へ吸い込むファンと、
筐体内へ吸い込まれる外気を濾過するエアフィルターと、
該エアフィルターを覆う状態で前記筐体に装着される複数のカバーと、
カバーの装着及び離脱を検出するセンサーと、
該センサーが検出した装着／離脱に応じて前記ファンを運転／停止させる制御部と
を備える電気機器において、
複数のカバーの装着及び離脱を一つのセンサーによって検出するように構成してあることを特徴とする電気機器。
【請求項２】
前記カバーは矩形の枠体を備え、
前記カバーを装着する場合、前記筐体側に向ける面に対して垂直な方向に延びる腕部を前記枠体の一端部に設けており、
前記腕部の基端部又は先端部には、
該腕部に対して直立する突起部材、又は
前記腕部に対して垂直な方向に移動する移動部材を設けており、
複数のカバーを装着する際、前記突起部材又は前記移動部材が重なるように構成してあることを特徴とする請求項１記載の電気機器。
【請求項３】
複数のカバーの各腕部を収容する収容部を、前記カバーを装着する面と隣り合う面の外側に凹設してあることを特徴とする請求項１又は請求項２に記載の電気機器。
【請求項４】
前記収容部の内奥面には、
前記筐体内に連通する嵌合筒を、前記筐体内に向けて前記収容部と一体に突設し、
ビスを用いて複数の腕部を前記収容部の中に螺着するためのビス受留部を前記嵌合筒に内嵌しており、
各腕部は、各腕部を前記収容部の中に螺着するためのビスの挿通穴を夫々設けてあることを特徴とする請求項３に記載の電気機器。
【請求項５】
前記移動部材を備える腕部は、
前記移動部材を移動可能に支持する支持筒を備え、
前記支持筒は、他の腕部の突起部材を挿入できる内寸を有していることを特徴とする請求項２乃至請求項４のいずれか一つに記載の電気機器。
【請求項６】
前記収容部の内奥面には、複数の腕部を前記収容部に掛止するための被掛止手段を掛止する掛止部を設けており、
複数の腕部の何れか一つと、前記被掛止手段とは一体成形しており、
前記被掛止手段と一体成形する腕部を除く他の腕部には、
前記被掛止手段が挿通する挿通穴を設けてあることを特徴とする請求項３に記載の電気機器。
【請求項７】
前記収容部の内奥面には、
複数の突起部材に押され一方向に移動する可動部材と、
該可動部材を移動可能に支持する支持穴と
を設けており、
複数の腕部及び各突起部材は同形状を有していることを特徴とする請求項３に記載の電気機器。
【請求項８】
筐体内に配置している光源ランプと、
該光源から発せられる光に基づいて投写画像を表示する画像表示素子と、
該画像表示素子の画像を拡大投写する投写レンズと、
外気を筐体内へ吸い込み前記光源ランプを冷却するファンと、
筐体内へ吸い込まれる外気を濾過するエアフィルターと、
該エアフィルターを覆う状態で前記筐体に装着される複数のカバーと、
カバーの装着及び離脱を検出するセンサーと、
該センサーが検出した装着／離脱に応じて前記ファンを運転／停止させる制御部と
を備えるプロジェクターにおいて、
複数のカバーの装着及び離脱を一つのセンサーによって検出するように構成してあることを特徴とするプロジェクター。
【発明の詳細な説明】
【技術分野】
【０００１】
本発明は、外気を吸い込むファン及びエアフィルターを備える電気機器及びプロジェクターに関する。
【背景技術】
【０００２】
近年、需要が増えつつあるプロジェクターのような電気機器は、光源ランプの発熱による電気機器内部の過熱を抑えて部品の故障を未然に防止するため、冷却ファンで外気を吸引して電気機器の内部を冷却する。この際、外気の汚れが電気機器内へ侵入することを防止するため、エアフィルター及び、該エアフィルターを保持するカバーを備えている。煙草の煙、塵芥など外気の汚れが酷い環境での使用の場合は、前記エアフィルターの目詰まりによる過熱を防止するため、エアフィルターの掃除又は交換を適宜周期的に行う必要がある。
【０００３】
しかしながら、電気機器の多くは、エアフィルターの掃除又は交換の便宜を図るため、カバーを取外すことにより、エアフィルターも同時に外れるように構成してある。従って、電源が入った状態でカバーを取り外した場合、又はカバーを取り外した状態で電源を入れた場合は、冷却ファンの作動によって、多量の汚れた外気が濾過されずに電気機器中へ吸い込まれてしまうという問題があった。
【０００４】
そこで、カバーの着脱状態を検出する検出スイッチを備えることにより、上記問題の発生を防止するプロジェクターが提案されている(例えば、特許文献１参照)。
【特許文献１】特開２０００−２６１７４０号公報
【発明の開示】
【発明が解決しようとする課題】
【０００５】
しかしながら、特許文献１のプロジェクターにあっては、カバーの着脱状態を検出できるものの、カバーと検出スイッチとの電気的接続からエアフィルターの着脱状態を検出するので、複数のカバーを用いる場合は、該当数分の検出スイッチを設ける必要がある上、配線が複雑になるという問題並びに配線の断線及び接続不良が生じる恐れがあった。
【０００６】
本発明は、斯かる事情に鑑みてなされたものであり、本発明の目的は、複数のカバーの装着及び離脱を一つのセンサーによって検出するように構成することにより、簡単な構成かつ低コストで、複数のカバーの装着及び離脱を検出できる電気機器及びプロジェクターを提供することにある。
【０００７】
また、本発明の他の目的は、複数のカバーに夫々腕部を設け、各腕部の基端部又は先端部には、突起部材又は移動部材を設けることにより、前記センサーが、各突起部材の重なる高さから、カバーの装着又は離脱を検出でき、カバー毎にセンサーとの機械的又は電気的接続部を設ける必要がない簡単な構成の電気機器を提供することにある。
【０００８】
また、本発明の他の目的は、複数のカバーの各腕部を収容する収容部を、カバーを装着する面と隣り合う面の外側に凹設することにより、各腕部の全てを収容部内に収容でき、機器の見栄えを悪くすることがなく、美観に優れた外装を有する電気機器を提供することにある。
【０００９】
また、本発明の他の目的は、前記収容部に、複数のカバーの腕部をビスで収容部内に螺着するためのビス受留部を設け、各腕部には、ビスの挿通穴を夫々設けることにより、各
腕部がビスで収容部内に螺着され、各腕部の突起部材及び移動部材が重なる際に、ズレが発生することを防止できる電気機器を提供することにある。
【００１０】
また、本発明の他の目的は、前記移動部材を備える腕部に、該移動部材を移動可能に支持する支持筒を設け、他の腕部の突起部材が、前記支持筒内に挿入されて前記移動部材と当接を行うように案内することにより、突起部材と移動部材との重なりを確実に担保できる電気機器を提供することにある。
【００１１】
また、本発明の他の目的は、複数の腕部を前記収容部内に掛止するための被掛止手段と、各腕部の何れか一つの腕部とを、一体成形することにより、部品点数及び組み立て工数が減少し、製造コストを削減できる電気機器を提供することにある。
【００１２】
また、本発明の他の目的は、複数のカバーの各腕部及び各突起部材が同形状を有するようにすることにより、カバーの装着及び離脱作業において、複数のカバーの組み立て順序を覚える必要が無くなり、ユーザの便宜を図ることができる電気機器を提供することにある。
【課題を解決するための手段】
【００１３】
本発明に係る電気機器は、外気を筐体内へ吸い込むファンと、筐体内へ吸い込まれる外気を濾過するエアフィルターと、該エアフィルターを覆う状態で前記筐体に装着される複数のカバーと、カバーの装着及び離脱を検出するセンサーと、該センサーが検出した装着／離脱に応じて前記ファンを運転／停止させる制御部とを備える電気機器において、複数のカバーの装着及び離脱を一つのセンサーによって検出するように構成してあることを特徴とする。
【００１４】
本発明にあっては、複数のカバーの装着及び離脱を検出するために一つのセンサーを設けている。複数のカバーを装着した場合、前記センサーは、制御部に電気的信号を送出する。
【００１５】
本発明に係る電気機器は、前記カバーは矩形の枠体を備え、前記カバーを装着する場合、前記筐体側に向ける面に対して垂直な方向に延びる腕部を前記枠体の一端部に設けており、前記腕部の基端部又は先端部には、該腕部に対して直立する突起部材、又は前記腕部に対して垂直な方向に移動する移動部材を設けており、複数のカバーを装着する際、前記突起部材又は前記移動部材が重なるように構成してあることを特徴とする。
【００１６】
本発明にあっては、複数のカバーを装着する場合、重なる突起部材及び移動部材の高さを、前記センサーが検出し、検出結果を電気的信号として制御部に送出する。
【００１７】
本発明に係る電気機器は、複数のカバーの各腕部を収容する収容部を、前記カバーを装着する面と隣り合う面の外側に凹設してあることを特徴とする。
【００１８】
本発明にあっては、複数のカバーを装着する場合、各腕部を前記収容部内に収容する。
【００１９】
本発明に係る電気機器は、前記収容部の内奥面には、前記筐体内に連通する嵌合筒を、前記筐体内に向けて前記収容部と一体に突設し、ビスを用いて複数の腕部を前記収容部の中に螺着するためのビス受留部を前記嵌合筒に内嵌しており、各腕部は、各腕部を前記収容部の中に螺着するためのビスの挿通穴を夫々設けてあることを特徴とする。
【００２０】
本発明にあっては、複数のカバーを装着する場合、各腕部は前記収容部に収容されるが、この場合、各腕部を収容部内に螺着するため、ビスが各腕部の挿通穴を貫通して前記嵌
合筒に内嵌されているビス受留部に固定される。
【００２１】
本発明に係る電気機器は、前記移動部材を備える腕部は、前記移動部材を移動可能に支持する支持筒を備え、前記支持筒は、他の腕部の突起部材を挿入できる内寸を有していることを特徴とする。
【００２２】
本発明にあっては、何れか一つの腕部には、移動部材と、該移動部材を移動可能に支持する支持筒とを有しており、他の腕部の突起部材が、前記支持筒の内に挿入されて前記移動部材の底面と当接し、移動部材を一方向に押して移動させる。移動部材が一定位置まで移動した場合、前記センサーは電気的信号を制御部に送出する。
【００２３】
本発明に係る電気機器は、前記収容部の内奥面には、複数の腕部を前記収容部に掛止するための被掛止手段を掛止する掛止部を設けており、複数の腕部の何れか一つと、前記被掛止手段とは一体成形しており、前記被掛止手段と一体成形する腕部を除く他の腕部には、前記被掛止手段が挿通する挿通穴を設けてあることを特徴とする。
【００２４】
本発明にあっては、複数のカバーを装着する場合、何れか一つの腕部に一体成形している被掛止手段を、各腕部に設ける前記挿通穴を挿通して前記掛止部に掛止する。
【００２５】
本発明に係る電気機器は、前記収容部の内奥面には、複数の突起部材に押され一方向に移動する可動部材と、該可動部材を移動可能に支持する支持穴とを設けており、複数の腕部及び各突起部材は同形状を有していることを特徴とする。
【００２６】
本発明にあっては、前記複数のカバーの各腕部及び各突起部材は同形状を有しており、複数のカバーを装着する場合、仮令、各カバーの組み立て順序が変っても、前記センサーは同じ結果を検出する。
【００２７】
本発明に係るプロジェクターは、筐体内に配置している光源ランプと、該光源から発せられる光に基づいて投写画像を表示する画像表示素子と、該画像表示素子の画像を拡大投写する投写レンズと、外気を筐体内へ吸い込み前記光源ランプを冷却するファンと、筐体内へ吸い込まれる外気を濾過するエアフィルターと、該エアフィルターを覆う状態で前記筐体に装着される複数のカバーと、カバーの装着及び離脱を検出するセンサーと、該センサーが検出した装着／離脱に応じて前記ファンを運転／停止させる制御部とを備えるプロジェクターにおいて、複数のカバーの装着及び離脱を一つのセンサーによって検出するように構成してあることを特徴とする。
【００２８】
本発明にあっては、一つのセンサーを設け、複数のカバーの装着及び離脱を検出する。複数のカバーを装着した場合、前記センサーは、制御部に電気的信号を送出する。
【発明の効果】
【００２９】
本発明によれば、カバーを取り外した状態でのファンの運転を防止するための、複数のカバーの装着及び離脱の検出を、一つのセンサーによって行うことができるので、構成が簡単になる上、製造コストを削減できる。
【００３０】
本発明によれば、複数のカバーに、腕部を夫々設けており、該腕部の基端部又は先端部には突起部材又は移動部材を夫々設け、一つのセンサーが、突起部材又は移動部材の重なりの高さからカバーの装着／離脱を検出するので、カバー毎にセンサーとの機械的又は電気的接続部を設ける必要がなくなり、構成が簡単になる。
【００３１】
本発明によれば、複数のカバーの各腕部を収容する収容部を、前記カバーを装着する面
と隣り合う面の外側に設けているので、製品外装の美観を損なうことなく、各腕部を収容することができる。
【００３２】
本発明によれば、複数のカバーの全腕部を、ビスを用いて収容部内に螺着するので、各腕部の突起部材及び移動部材の重なりにおいてズレの発生を防止でき、突起部材と移動部材との重なりを安定に行うことができる。
【００３３】
本発明によれば、前記移動部材を備える腕部に、該移動部材を移動可能に支持する支持筒を設け、他の腕部の突起部材が、前記支持筒の内に挿入されて前記移動部材と当接を行うように前記支持筒がガイドの役割をなすので、突起部材と移動部材との当接を確実に行うことができる。
【００３４】
本発明によれば、複数の腕部を前記収容部内に掛止するための被掛止手段と、複数の腕部の何れか一つの腕部とを、一体成形しており、複数の腕部を収容部の内に掛止するために他の手段を用いずに、掛止できるので、部品点数及び組み立て工数が減少し、製造コストが減少する。
【００３５】
本発明によれば、複数のカバーの各腕部及び各突起部材が同じ形状を有するので、ユーザがカバーの装着及び離脱作業を行う際、複数のカバーの組み立て順序を覚える必要が無くなる上、組み立ての作業時間が短くなり、ユーザの便宜を図ることができる。
【００３６】
本発明によれば、一つのセンサーが複数のカバーの装着／離脱を検出するので、カバーが離脱した状態でのファンの回転による多量の汚れのプロジェクター内への侵入を、簡単な構造を持って防止することができる。
【発明を実施するための最良の形態】
【００３７】
（実施の形態１）
以下、本発明を、プロジェクターを例として、実施の形態１を示す図面に基づいて詳述する。図１は本発明の実施の形態１に係るプロジェクターの要部構成を示す模式的平面図である。
【００３８】
本発明の実施の形態１に係るプロジェクター１は、筐体２の内部に、光源ランプ３、該光源ランプ３からの光を反射する反射鏡２０、反射された光を用いて投写すべき画像を表示する画像表示素子４、光源ランプ３による筐体２内部の過熱を防止するために外部の空気を筐体２内へ吸い込む冷却ファン６、６、６、及び光源ランプ３、画像表示素子４、冷却ファン６、６、６等の作動を制御する制御部７を備えており、筐体２の前面には、画像表示素子４の画像を拡大投写する投写レンズ５を設けている。筐体２は、直方体形状であり、前後方向が左右方向より長い。
【００３９】
筐体２の一側面には、水平なスリット状の複数の穴から成る吸気口８を設けている。適宜厚みを有する多孔質の合成樹脂製であるエアフィルター１１、１１は、前記一側面と略同じ大きさであり、一面が前記一側面の内側と当接し、前記吸気口８を塞いでいる。該エアフィルター１１、１１を覆うカバー１０ａ、１０ｂは、エアフィルター１１、１１の他面と当接し、該エアフィルター１１、１１を吸気口８に圧するように構成している。筐体２の他側面には、水平なスリット状の複数の穴を有する排気口９を設けており、筐体２内部の高温の空気を外に排気する。カバー１０ａ、１０ｂは、エアフィルター１１、１１と略同じ大きさである。前記カバー１０ａ、１０ｂは、筐体２へ着脱可能に設けている。筐体２の底面であって、カバー１０ａ、１０ｂの近傍には、後述するカバー１０ａ、１０ｂの腕部１０１ａ、１０１ｂを収容する収容部１２を筐体２の上側に向けて突設している。該収容部１２は、筐体２の前後方向に長い矩形断面を有し、カバー１０ａ、１０ｂ側の面
が開口している。また、筐体２の底面であって、筐体２の前記一側面と、前記収容部１２との間にはカバー１０ａ、１０ｂを装着するための、筐体２の前後方向に長いスリット状の装着穴（図示せず）を設けている。
【００４０】
図２は、本発明の実施の形態１に係るプロジェクターのエアフィルター及びカバーを装着した状態の筐体の側面の要部構成図、図３はカバー１０ａを筐体の外から見た模式図であり、(ａ)は正面図、(ｂ)は平面図、(ｃ)は底面図である。図４はカバー１０ｂを筐体の外から見た模式図であり、(ａ)は正面図、(ｂ)は平面図、(ｃ)は底面図である。
【００４１】
前記カバー１０ａ、１０ｂは、弾性を有するプラスチック製であり、矩形状の枠体１１２ａ、１１２ｂと、該枠体１１２ａ、１１２ｂの内部に配設した格子部材とを備えている。カバー１０ａ（１０ｂ）の両側縁面夫々には、カバー１０ａ（１０ｂ）を筐体２に固定するために、複数の縦長の長方形縦断面を有するカバー側固定部材１０５ａ、１０５ａ、１０５ａ・・・（１０５ｂ、１０５ｂ、１０５ｂ・・・）を、縦方向であって千鳥状に設けている。筐体２内の吸気口８付近には、カバー１０ａ、１０ｂを固定する円柱状のカバー固定部１５、１５、１５を、前記一側面の両端と中央にて等間隔に設けており、筐体２の底面から上面に亘って立設している。両端のカバー固定部１５、１５の周面には、中央のカバー固定部１５に向けて夫々一つ、中央のカバー固定部１５の周面には、両端に向けて２つ、縦長の長方形縦断面を有する固定部側固定部材１５１、１５１、１５１、１５１を設けている。各固定部側固定部材１５１、１５１、１５１、１５１は、カバー固定部１５と略同じ長さであって筐体２の側面と平行に設けている。カバー１０ａ、１０ｂは、前記装着穴から、カバー側固定部材１０５ａ、１０５ａ、１０５ａ・・・、１０５ｂ、１０５ｂ、１０５ｂ・・・が該固定部側固定部材１５１、１５１、１５１、１５１を狭持するように、筐体２内へ挿入して、前記カバー１０ａ、１０ｂをカバー固定部１５に固定する。
【００４２】
カバー１０ａは、装着する場合に、筐体２側に向ける面の下端部であって、カバー１０ｂ側の端部に腕部１０１ａを設けている。該腕部１０１ａは、カバー１０ａの前記面に対して垂直な方向に延設された基部と、該基部の先端部からカバー１０ｂの方向へ延びる支持部１０９ａとから成る。基部の長手寸法及び支持部１０９ａの長手寸法は、前記収容部１２に収容可能な寸法にしており、弾性を有するプラスチック製であってカバー１０ａと一体成形している。前記支持部１０９ａの中央付近には、該腕部１０１ａを前記収容部１２に螺着するための挿通穴１０２ａを、支持部１０９ａを上下に貫通するように設けている。前記支持部１０９ａの先端部には、上下に移動する移動部材１０３ａを支持する支持筒１０４ａを支持部１０９ａに対して上向きに突設しており、該支持筒１０４ａは上下両端及びカバー１０ａ側に開口を有する四角筒形状である。前記移動部材１０３ａは略Ｉ字状の縦断面を有しており、支持筒１０４ａの高さと略同じ高さの板状の中間部と、該中間部と、支持筒１０４ａの内寸と略同じ面積を有する扁平な凸部の上端部と、略倒立四角錘台状である下端部とからなる。該下端部の底面は支持筒１０４ａの内寸と略同じ寸法であり、移動部材１０３ａは、上端部が筐体２の底面と水平するようにして下部を前記支持筒１０４ａの前記開口から挿入される。支持筒１０４ａの上部内側には、前記移動部材１０３ａの抜け出しを防止するための三つの凸部を支持筒１０４ａの内側に向けて突設している。従って、前記凸部に移動部材１０３ａの両端部が掛止される。カバー１０ａの他面の下部の中央には、筐体２の底面の外側に接触してカバー１０ａを支える脚部１０６ａを設けている。
【００４３】
カバー１０ｂは、カバー１０ａと対称な位置に基部と支持部１０９ｂとからなる腕部１０１ｂを設けている。前記基部上面には、該基部の長手方向に沿って延びる板状の突起部材１０３ｂを立設してある。支持部１０９ｂの先端部には、腕部１０１ｂを前記収容部１２に螺着するための挿通穴１０２ｂを有している。また、カバー１０ｂは下部に、脚部１
０６ａと同様に脚部１０６ｂを設けている。
【００４４】
収容部１２の天井部の一側端には、円管状の嵌合部材１２３を前記筐体２内に向けて突設している。また、腕部１０１ａ、１０１ｂを螺着するための、一側に底面を有する円筒状のビス受留部１２１を、前記底面が上方になるようにし、前記嵌合部材１２３の上部に内嵌している。該収容部１２の天井部の他側端には、腕部１０ａの支持筒１０４ａが挿通する挿通穴１２２を、前記天井部の上下に貫通するように設けている。該挿通穴１２２の真上には、カバー１０ａ、１０ｂの装着及び離脱を検出する回転スイッチ１３の作動レバー１３１を配設している。
【００４５】
前記挿通穴１２２付近の筐体２の底面上には、前記収容部１２の長手方向に連設するように、回転スイッチ１３を取り付けるための四角筒形状のスイッチ座を設けている。前記回転スイッチ１３は、四角棒状の作動レバー１３１を有し、該作動レバー１３１の回転軸が筐体２の側面と直交するように設けている。また、作動レバー１３１の端部は、移動部材１０３ａの昇降域に配置している。回転スイッチ１３は、バネを内蔵しており、常に作動レバー１３１を押す方向に向けて付勢している。この場合、回転スイッチ１３はオフになる。一方、移動部材１０３ａの上昇により作動レバー１３１が所定角度以上に回転した場合は、回転スイッチ１３はオンになる。回転スイッチ１３に電気的に接続している制御部７は、回転スイッチ１３のオン／オフを検出して冷却ファン６を運転／停止させる。
【００４６】
図５は、本発明の実施の形態１に係るプロジェクターにおけるカバー１０ａ、１０ｂの装着／離脱の検出を説明する説明図である。カバー１０ａ、１０ｂを装着する前には、作動レバー１３１の下面は、常に筐体２の底面と平行するように維持されている(図５(ａ))。
【００４７】
カバー１０ａを筐体２に装着する場合、腕部１０１ａは、上面が収容部１２の天井部を臨むように収まり、該腕部１０１ａの前記支持筒１０４ａが、収容部１２の挿通穴１２２に挿通される。この際、移動部材１０３ａの上端面は、前記作動レバー１３１の下面と接する位置にある(図５(ｂ))。しかしながら、前記移動部材１０３ａの上端面は、作動レバー１３１の下面と接するだけであって、上方向に押し上げていない。
【００４８】
次いでカバー１０ｂを筐体２に装着する。腕部１０１ｂは、腕部１０１ａと同様に収容部１２に収容される。この際、支持部１０９ｂの先端部に設けている前記挿通穴１０２ｂと、腕部１０１ａの挿通穴１０２ａとに、ビス１４を挿通して、収容部１２の前記ビス受留部１２１と嵌合することにより、腕部１０１ａ及び腕部１０１ｂを収容部１２内に螺着する。
【００４９】
この場合、腕部１０１ｂの突起部材１０３ｂは、腕部１０１ａの支持筒１０４ａ中に、下から挿入され、前記移動部材１０３ａの下端面と当接し、該移動部材１０３ａを上方向に押し上げる(図５(ｃ))。
【００５０】
前記移動部材１０３ａは、腕部１０１ｂの突起部材１０３ｂに押し上げられて上方向に移動し、接している作動レバー１３１を上方向に押し上げ、作動レバー１３１を垂直方向に所定角度以上に回転させ (図５(ｄ))、回転スイッチ１３をオンにする。この場合、制御部７は、回転スイッチ１３がオンであることを検出し、冷却ファン６の運転を開始する。
【００５１】
また、ビス１４が外され、カバー１０ａ及び／又は１０ｂが離脱される場合は、前記移動部材１０３ａが下方向に下がり、作動レバー１３１は、バネの復元力によりカバー１０ａ、１０ｂの装着前の位置に戻り、回転スイッチ１３は電気的信号を発しなくなる。この
際、前記制御部７は、冷却ファン６の運転を中止する。
【００５２】
実施の形態１においては、カバーが二枚である場合について説明したが、これに限定されるものでなく、カバーが三枚以上である場合に対しても適用可能である。例えば、実施の形態１の二枚のカバーの両側にカバーを一枚ずつ設け、カバーが四枚である場合について説明する。各腕部の基部の長さは同一にし、支持部の長さだけを変える。つまり、装着した四枚のカバーのうち両端側の二枚の支持部の長さを、中央部の二枚より長くする。各支持部の挿通穴、可動部材、（移動部材）の位置は、収容部１２の支持穴、ビス受留部等の位置に合わせて設ける。収容部１２は、前記中央部の二枚のカバーの間付近に設け、前記両端側のカバーの腕部を収容できるように、筐体２の前後方向の長さを長くし、腕部の数の増加に合わせて上下方向の高さを高くする。また、収容部１２の高さに合わせて回転スイッチ１３を配置する。
【００５３】
また、実施の形態１においては、回転スイッチ１３が一つである場合について説明したが、これに限定されるものではなく、回転スイッチ１３が２つ以上である場合に対しても適用可能である。例えば、カバーが四枚であり、回転スイッチ１３が２つである場合について説明する。筐体２に装着された四枚のカバーのうち、一端側の二枚の間付近に該二枚の各腕部を収容する一の収容部１２を設け、他端側の二枚の間付近には、該二枚の各腕部を収容する他の収容部１２を夫々設ける。また、夫々の収容部１２、１２の位置に合わせて回転スイッチ１３、１３を配置する。制御部７は、両回転スイッチ１３、１３がオンである場合に冷却ファン６を運転する。
【００５４】
(実施の形態２)
図６は、本発明の実施の形態２に係るプロジェクターにおけるカバーの装着／離脱の検出を説明する説明図である。
【００５５】
カバー１０ａは、実施の形態１と同様に、基部と支持部１０９ａとからなる腕部１０１ａ及び脚部１０６ａを設けてある。前記支持部１０９ａの中央付近には、該腕部１０１ａを前記収容部１２に螺着するための挿通穴１０２ａを設けており、支持部１０９ａの先端部から、該挿通穴１０２ａまでの部分は、水平方向に対して下方向に傾斜しており、弾性により上下動可能にしている。下方向に傾斜している部分の端部には、回転スイッチ１３の作動レバー１３１を押し上げるための、Ｉ字形状縦断面を有する突起部材１０８ａを、筐体２の底面に対して上向きに設けている。
【００５６】
カバー１０ｂは、カバー１０ａと同様に、基部と支持部１０９ｂとからなる腕部１０１ｂ及び脚部１０６ｂを設けてある。前記基部上面には、該基部の長手方向に沿って延びる板状の突起部材１０３ｂを立設してある。支持部１０９ｂの端部には、腕部１０１ａ、１０１ｂを前記収容部１２に掛止するための鉤状の被掛止手段１６を、筐体２の底面に対して上向きに突設してある。
【００５７】
収容部１２の天井部の一方には、筐体２の内側と連通する円筒状の掛止部１２４を設けており、該掛止部１２４には、前記被掛止手段１６が掛かる凸部材１７を、掛止部１２４の中心軸に向けて設けている。該収容部１２の天井部の他方には、実施の形態１と同様に、挿通穴１２２を設けている。
【００５８】
カバー１０ａ、１０ｂを装着する前には、作動レバー１３１の下面は、常にプロジェクター１の底面と平行するように維持されている(図示せず)。
【００５９】
カバー１０ａを筐体２に装着する場合に、腕部１０１ａは、上面が収容部１２の天井部を臨むように収まり、該腕部１０１ａの前記突起部材１０８ａが、収容部１２の挿通穴１
２２を通って、該挿通穴１２２の真上に位置する作動レバー１３１下面と当接し、該作動レバー１３１を若干上方向に押し上げて回転させる。しかしながら、この際の作動レバー１３１の回転角は、所定角度より小さい。(図６(ａ))。
【００６０】
次いでカバー１０ｂを筐体２に装着する。腕部１０１ｂは、腕部１０１ａと同様に収容部１２に収容される。この際、腕部１０１ｂの先端部の被掛止手段１６が、腕部１０１ａの挿通穴１０２ａを通って収容部１２に設けている前記掛止部１２４に掛止することにより、腕部１０１ａ及び腕部１０１ｂを収容部１２内に掛止する。
【００６１】
この場合、腕部１０１ｂの前記突起部材１０３ｂは、腕部１０１ａの突起部材１０８ａの下端面と当接して上方向に押し上げる。これにより、腕部１０１ａの下方向に傾斜していた部分は、収容部１２の天井面と当接するまで押し上げられる。この際、作動レバー１３１と接している前記突起部材１０８ａが、該作動レバー１３１をさらに上方向に押し上げて所定角度以上に回転させ(図６(ｂ))、回転スイッチ１３をオンにする。この場合、制御部７は、回転スイッチ１３がオンであることを検出し、冷却ファン６を運転する。
【００６２】
実施の形態１に係るプロジェクターと同様の部分については、同一の符号を付して説明を省略する。
【００６３】
(実施の形態３)
図７は、本発明の実施の形態３に係るプロジェクターにおけるカバーの装着／離脱の検出を説明する説明図である。
【００６４】
腕部１０１ａ及び腕部１０１ｂを収容する収容部１２は、実施の形態１と同様に、筐体２の底面に設けている。前記収容部１２の天井部の中央付近には、上下に移動する可動部材１８を支持するための支持穴１９を、前記天井部の内側と外側を貫通するように設けている。前記可動部材１８は、リベットのような形状を有し、上端部の直径を大きくして前記支持穴１９から抜け落ちることを防止している。可動部材１８の真上には、回転スイッチ１３の四角棒状の作動レバー１３１を配設している。
【００６５】
カバー１０ａは、実施の形態１と同様に、基部と支持部１０９ａとからなる腕部１０１ａ及び脚部１０６ａを設けてある。該基部の先端部からカバー１０ｂの方向に延びる前記支持部１０９ａは、水平方向から下方向に傾斜しており、弾性により上下動可能にしている。該支持部１０９ａの端部には、縦断面逆Ｔ字状の突起部材１１１ａを、筐体２の底面に対して上向きに設けている。
【００６６】
カバー１０ｂは、カバー１０ａと同様に、基部と支持部１０９ｂとからなる腕部１０１ｂ及び脚部１０６ｂを設けてある。腕部１０１ｂは前記腕部１０１ａと同形態を有するので、詳細な説明は省略している。
【００６７】
カバー１０ａ、１０ｂを装着する前には、作動レバー１３１の底面は、常にプロジェクター１の底面と平行するように維持されている(図示せず)。
【００６８】
カバー１０ａを筐体２に装着する場合に、腕部１０１ａは、上面が収容部１２の天井部を臨むように収まる。該腕部１０１ａの突起部材１１１ａは、収容部１２の前記可動部材１８の下端面と当接し、該可動部材１８を若干上方向に押し上げる。この際、前記可動部材１８は、作動レバー１３１の下面と接する位置まで上方向に移動するが、該作動レバー１３１を回転させない(図７(ａ))。
【００６９】
次いでカバー１０ｂを筐体２に装着する場合、腕部１０１ｂは、腕部１０１ａと同様に
収容部１２に収容される。この際、前記突起部材１１１ｂは、腕部１０１ａの先端部の突起部材１１１ａの下端面と当接し、該突起部材１１１ａを上方向に押し上げる。従って、前記可動部材１８は、突起部材１１１ｂ及び突起部材１１１ａによりさらに上方向に押し上げられ、該作動レバー１３１を垂直方向に所定角度以上回転させ(図７(ｂ))、回転スイッチ１３をオンにする。この場合、制御部７は、回転スイッチ１３がオンであることを検出し、冷却ファン６を運転する。
【００７０】
上述の本発明の実施の形態３においては、カバー１０ａを先に装着する場合を例として説明したが、腕部１０１ａ及び腕部１０１ｂは等しい形態を有するので、カバー１０ｂを先に装着しても良い。
【００７１】
実施の形態１に係るプロジェクターと同様の部分については、同一の符号を付して説明を省略する。
【００７２】
上述の本発明の実施の形態１、２、及び３においては、エアフィルター１１、１１及びカバー１０ａ、１０ｂを、筐体２の内側に設ける場合について説明したが、これに限るものでなく、エアフィルター１１、１１及びカバー１０ａ、１０ｂを、筐体２の外側に設ける場合であってもよい。
【００７３】
また、上述の本発明の実施の形態１、２、及び３においては、プロジェクターを例として説明したが、これに限るものではなく、例えばＤＶＤレコーダー、電気顕微鏡、パソコンなどにも適用できる。
【図面の簡単な説明】
【００７４】
【図１】本発明の実施の形態１に係るプロジェクターの要部構成を示す模式的平面図である。
【図２】本発明の実施の形態１に係るプロジェクターのエアフィルター及びカバーを装着した状態の筐体の側面の要部構成図である。
【図３】本発明の実施の形態１に係るプロジェクターのカバーの模式図である。
【図４】本発明の実施の形態１に係るプロジェクターのカバーの模式図である。
【図５】本発明の実施の形態１に係るプロジェクターにおけるカバーの装着／離脱の検出を説明する説明図である。
【図６】本発明の実施の形態２に係るプロジェクターにおけるカバーの装着／離脱の検出を説明する説明図である。
【図７】本発明の実施の形態３に係るプロジェクターにおけるカバーの装着／離脱の検出を説明する説明図である。
【符号の説明】
【００７５】
１  プロジェクター
２  筐体
３  光源ランプ
４  画像表示素子
５  投写レンズ
６  冷却ファン
７  制御部
８  吸気口
９  排気口
１０ａ、１０ｂ  カバー
１１  エアフィルター
１２  収容部
１３  回転スイッチ
１４  ビス
１６  被掛止手段
１７  凸部材
１８  可動部材
１９  支持穴
２０  反射鏡
１０１ａ、１０１ｂ  腕部
１０２ａ、１０２ｂ  挿通穴
１０３ａ  移動部材
１０４ａ  支持筒
１０６ａ、１０６ｂ  脚部
１０８ａ  突起部材
１０９ａ、１０９ｂ  支持部
１１２ａ、１１２ｂ  枠体
１０３ｂ  突起部材
１２１  ビス受留部
１２２  挿通穴
１２３  嵌合部材
１２４  掛止部
１３１  作動レバー
【図１】
2007294603.tif 000003
【図２】
2007294603.tif 000004
【図３】
2007294603.tif 000005
【図４】
2007294603.tif 000006
【図５】
2007294603.tif 000007
【図６】
2007294603.tif 000008
【図７】
2007294603.tif 000009